(57)【特許請求の範囲】
【請求項１】
照明装置を有する建物内に設けられる無線ＬＡＮ通信装置であって、
接続端末と通信を行う通信部と、
前記接続端末の通信内容を取得する取得部と、
前記取得部によって取得された前記通信内容と、前記照明装置の照明状況とに基づいて、前記照明装置による照明を制御する制御部と、
を備え、
前記制御部は、前記取得部によって取得された前記通信内容が、所定の時間より長い時間の通信を要する通信内容である場合、前記照明装置を点灯させる制御を行う、無線ＬＡＮ通信装置。
【請求項２】
前記無線ＬＡＮ通信装置は、時間と前記時間における前記照明装置による照明の設定とを対応付けた時間照明情報を格納する記憶部をさらに備え、
前記制御部は、前記時間照明情報に基づいて、前記照明装置による照明を制御する、請求項１に記載の無線ＬＡＮ通信装置。
【請求項３】
前記無線ＬＡＮ通信装置は、前記建物に設けられたセンサと通信可能に接続されており、
前記制御部は、前記センサによる検出結果をさらに用いて、前記照明装置による照明を制御する、請求項１に記載の無線ＬＡＮ通信装置。
【請求項４】
前記センサは、人を検出可能なセンサであり、
前記制御部は、前記センサの前記検出結果が人を検出したことを示す場合、前記照明装置を点灯させる制御を行い、前記センサの前記検出結果が人を検出しなかったことを示す場合、前記取得部によって取得された前記通信内容に基づいて、前記照明装置による照明を制御する、請求項３に記載の無線ＬＡＮ通信装置。
【請求項５】
前記無線ＬＡＮ通信装置は、前記建物内に設けられ、且つ、前記接続端末と通信可能な中継器と通信可能に接続されており、
前記制御部は、前記センサの前記検出結果に基づいて、前記中継器と対応関係にある前記照明装置による照明を制御する、請求項３又は４に記載の無線ＬＡＮ通信装置。
【請求項６】
前記無線ＬＡＮ通信装置は、時間と前記時間における前記照明装置による照明の照度とを対応付けた照明設定情報を格納する記憶部をさらに備え、
前記制御部は、前記照明設定情報に基づいて、前記照明装置による照明を制御する、請求項１乃至５の何れか一項に記載の無線ＬＡＮ通信装置。
【請求項７】
前記無線ＬＡＮ通信装置は、前記接続端末の通信内容と前記通信内容における前記照明装置による照明の照度とを対応付けた照明設定情報を格納する記憶部をさらに備え、
前記制御部は、前記取得部によって取得された前記通信内容と、前記照明設定情報と、に基づいて、前記照明装置による照明を制御する、請求項１乃至５の何れか一項に記載の無線ＬＡＮ通信装置。
【請求項８】
前記無線ＬＡＮ通信装置は、前記接続端末の種類と前記接続端末の種類における前記照明装置による照明の照度とを対応付けた照明設定情報を格納する記憶部をさらに備え、
前記制御部は、前記接続端末の種類と、前記照明設定情報と、に基づいて、前記照明装置による照明を制御する、請求項１乃至５の何れか一項に記載の無線ＬＡＮ通信装置。
【請求項９】
前記建物は複数の部屋を備え、
前記無線ＬＡＮ通信装置は、前記部屋の種類と、前記部屋の種類における前記照明装置の照明を制御するか否かについての情報と、を対応付けた部屋照明設定情報を格納する記憶部をさらに備え、
前記制御部は、前記部屋に設けられた前記センサの前記検出結果が人を検出したことを示す場合、当該部屋の種類と、前記部屋照明設定情報と、に基づいて、前記照明装置による照明を制御する、請求項４に記載の無線ＬＡＮ通信装置。
【発明の詳細な説明】
【技術分野】
【０００１】
本発明は、無線ＬＡＮ通信装置に関する。
【背景技術】
【０００２】
特許文献１には、建物内の複数の部屋にアクセスポイントを配置し、当該複数の部屋のうち、１つの部屋に通信機器を所持した人が入室すると当該通信機器とアクセスポイントとの間で無線通信を行い、当該無線通信の有無により人の入室を検出して、当該部屋の電灯を点灯させる制御を行うホームゲートウェイが記載されている。
【先行技術文献】
【特許文献】
【０００３】
【特許文献１】特開２００９−２３２３０７号公報
【発明の概要】
【発明が解決しようとする課題】
【０００４】
特許文献１に記載のホームゲートウェイでは、人の入室のみに基づいて照明を点灯させる。そのため、例えば、就寝時等、照明の点灯が不要な場合であっても、当該人の所持する通信機器とアクセスポイントとの間の無線通信によって照明が点灯されてしまう等、人の行動に適した照明装置の点灯制御がなされているとは限らない。
【０００５】
本発明の目的は、人の行動により適した照明装置の点灯制御が行える無線ＬＡＮ通信装置を提供することである。
【課題を解決するための手段】
【０００６】
本発明にかかる無線ＬＡＮ通信装置は、照明装置を有する建物内に設けられる無線ＬＡＮ通信装置であって、接続端末と通信を行う通信部と、前記接続端末の通信内容を取得する取得部と、前記取得部によって取得された前記通信内容と、前記照明装置の照明状況とに基づいて、前記照明装置による照明の制御を行う制御部と、を備える。
【発明の効果】
【０００７】
人の行動により適した照明装置の点灯制御が行える無線ＬＡＮ通信装置を提供することができる。
【図面の簡単な説明】
【０００８】
【図１】実施の形態１にかかるホームゲートウェイシステムを示す模式図である。
【図２】実施の形態１にかかるホームゲートウェイシステムを示すブロック図である。
【図３】実施の形態１にかかる時間帯制御設定テーブルを示す図である。
【図４】実施の形態１にかかる通信内容制御設定テーブルを示す図である。
【図５】実施の形態１にかかるホームゲートウェイにおける制御を説明するフローチャートである。
【図６】実施の形態２にかかるホームゲートウェイシステムを示すブロック図である。
【図７】実施の形態２にかかる部屋・人検知制御設定テーブルを示す図である。
【図８】実施の形態２にかかるホームゲートウェイにおける制御を説明するフローチャートである。
【図９】実施の形態３にかかる照度制御設定テーブルを示す図である。
【図１０】実施の形態３にかかるホームゲートウェイにおける制御を説明するフローチャートである。
【図１１】実施の形態４にかかる照度制御設定テーブルを示す図である。
【図１２】実施の形態５にかかる照度制御設定テーブルを示す図である。
【図１３】実施の形態６にかかる照度制御設定テーブルを示す図である。
【図１４】実施の形態７にかかるホームゲートウェイシステムを示す模式図である。
【発明を実施するための形態】
【０００９】
実施の形態１
以下、図面を参照して本発明の実施の形態について説明する。図１は、本発明の実施の形態１にかかるホームゲートウェイシステム１００を示す模式図である。図１に示すように、本発明の実施の形態１にかかるホームゲートウェイシステム１００は、無線ＬＡＮ通信装置としてのホームゲートウェイ（ＨＧＷ：Ｈｏｍｅ  Ｇａｔｅ  Ｗａｙ）１、接続端末２としてのスマートフォン２１、照明装置３１、外部ネットワーク通信網ワールドワイドウェブ４（以下、「外部ネットワーク４」と称する。）等を備える。
【００１０】
図１に示すように、ホームゲートウェイ１は、建物Ｂ内に設けられている。また、建物Ｂ内には、照明装置３１が設けられている。また、ホームゲートウェイ１は、通信部としてのＷＬＡＮ接続ポート１１、取得部としてのスヌーピング機能部１３１、制御部１７等を備える。
そして、ホームゲートウェイ１は、ＷＬＡＮ接続ポート１１を介して、建物Ｂ内に存在するスマートフォン２１と無線ＬＡＮを介して通信を行う。
また、スヌーピング機能部１３１は、スマートフォン２１の通信内容を取得する。
また、制御部１７は、スヌーピング機能部１３１によって取得された通信内容と、照明装置３１の照明状況とに基づいて、照明装置３１による照明を制御する。
【００１１】
実施の形態１にかかるホームゲートウェイ１について、図２を参照しながら、より詳細に説明する。図２は、実施の形態１にかかるホームゲートウェイシステム１００を示すブロック図である。図２に示すように、ホームゲートウェイシステム１００は、スマートフォン２１等である接続端末２、ホームゲートウェイ１、照明装置３１等である室内照明３、外部ネットワーク４の４つのブロックに分けられる。そして、ホームゲートウェイ１は、図２に示すように、ＷＬＡＮ接続ポート１１、データ送受信部１２、接続端末制御部１３、ＷＡＮ接続ポート１４、データ送受信部１５、室内照明制御部１６、制御部１７等を備える。
【００１２】
そして、データ送受信部１２は、ＷＬＡＮ接続ポート１１を介して、接続端末２のスマートフォン２１と、ホームゲート１との間で、データの送受信を行う。
【００１３】
また、接続端末制御部１３は、図２に示すように、スヌーピング機能部１３１、時計１３２、記憶部１３３等を備える。より具体的には、接続端末制御部１３は、図示しないＣＰＵをさらに備える。そして、ＣＰＵが記憶部１３３に格納されているプログラムを実行することにより、接続端末制御部１３における処理が実現する。
また、接続端末制御部１３の記憶部１３３に格納されるプログラムは、ＣＰＵに実行されることにより、接続端末制御部１３のそれぞれにおける処理を実現するためのコードを含む。なお、記憶部１３３は、例えば、このプログラムや、接続端末制御部１３における処理に利用される各種情報を格納することができる任意の記憶装置を含んで構成される。記憶装置は、例えば、メモリ等である。
【００１４】
具体的には、ＣＰＵが記憶部１３３に格納されているプログラムを実行することによって、接続端末制御部１３は、スヌーピング機能部１３１が取得した通信内容を、制御部１７に出力する。また、ＣＰＵが記憶部１３３に格納されているプログラムを実行することによって、接続端末制御部１３は、時計１３２によって計数された時間に関する情報を制御部１７に出力する。すなわち、接続端末制御部１３による全ての各種制御処理は、ＣＰＵと記憶部１３３に格納されているプログラムとが協働した具体化手段によって実現される。
【００１５】
また、スヌーピング機能部１３１は、データ送受信部１２におけるデータの送受信を監視することにより、スマートフォン２１の通信内容を取得する。
【００１６】
データ送受信部１５は、ＷＡＮ接続ポート１４を介して、外部ネットワーク４と、ホームゲート１との間で、データの送受信を行う。
【００１７】
室内照明制御部１６は、図２に示すように、無線接続ポート１６１、データ送受信部１６２、照明監視部１６３、記憶部１６４等を備える。より具体的には、室内照明制御部１６は、図示しないＣＰＵをさらに備える。そして、ＣＰＵが記憶部１６４に格納されているプログラムを実行することにより、室内照明制御部１６における処理が実現する。
また、室内照明制御部１６の記憶部１６４に格納されるプログラムは、ＣＰＵに実行されることにより、室内照明制御部１６のそれぞれにおける処理を実現するためのコードを含む。なお、記憶部１６４は、例えば、このプログラムや、室内照明制御部１６における処理に利用される各種情報を格納することができる任意の記憶装置を含んで構成される。記憶装置は、例えば、メモリ等である。
【００１８】
具体的には、ＣＰＵが記憶部１６４に格納されているプログラムを実行することによって、室内照明制御部１６は、照明監視部１６３によって取得された照明装置３１の照明状況を制御部１７に出力する。ＣＰＵが記憶部１６４に格納されているプログラムを実行することによって、室内照明制御部１６は、制御部１７から入力された制御信号に従って、照明装置３１による照明を制御する。すなわち、室内照明制御部１６による全ての各種制御処理は、ＣＰＵと記憶部１６４に格納されているプログラムとが協働した具体化手段によって実現される。
【００１９】
また、データ送受信部１６２は、無線接続ポート１６１を介して、照明装置３１と、ホームゲート１との間で、データの送受信を行う。
【００２０】
また、照明監視部１６３は、図示しない明るさセンサを備え、照明装置３１が備えられる空間の照明状況を監視する。換言すれば、照明監視部１６３は、照明装置３１の照明状況を取得する。当該明るさセンサは、例えば、照明装置３１の照明範囲内等、照明装置３１が備えられる空間の任意の場所に設けられる。
【００２１】
制御部１７は、記憶部１７１等を備える。また、制御部１７は、図示しないＣＰＵをさらに備える。そして、ＣＰＵが記憶部１７１に格納されているプログラムを実行することにより、制御部１７における処理が実現する。
また、制御部１７の記憶部１７１に格納されるプログラムは、ＣＰＵに実行されることにより、制御部１７のそれぞれにおける処理を実現するためのコードを含む。なお、記憶部１７１は、例えば、このプログラムや、制御部１７における処理に利用される各種情報を格納することができる任意の記憶装置を含んで構成される。記憶装置は、例えば、メモリ等である。
【００２２】
具体的には、ＣＰＵが記憶部１７１に格納されているプログラムを実行することによって、制御部１７は、接続端末制御部１３から入力された時間に関する情報と、記憶部１７１に格納されている時間照明情報としての時間帯制御設定テーブル１７２と、に基づいて、照明装置３１による照明を制御する。また、ＣＰＵが記憶部１７１に格納されているプログラムを実行することによって、制御部１７は、接続端末制御部１３から入力された通信内容と、室内照明制御部１６から入力された照明装置３１の照明状況と、に基づいて、照明装置３１による照明を制御する。その他、ＣＰＵが記憶部１７１に格納されているプログラムを実行することによって、制御部１７は、例えば、図５に示すような、各種制御処理を行う。すなわち、制御部１７による全ての各種制御処理は、ＣＰＵと記憶部１７１に格納されているプログラムとが協働した具体的手段によって実現される。
【００２３】
記憶部１７１は、例えば、図３に示す時間帯制御設定テーブル１７２（時間照明情報）と、図４に示す通信内容制御設定テーブル１７３等を格納している。
【００２４】
図３に示すように、時間帯制御設定テーブル１７２は、時間帯と、当該時間帯における照明装置３１による照明の設定とが対応付けられたテーブルである。図３に示す、時間帯制御設定テーブル１７２では、照明装置３１の照明の設定として、「有効」及び「無効」が規定されている。ここで、「有効」とは、照明装置３１を点灯させることを意味し、「無効」とは、照明装置３１を点灯させないことを意味する。
【００２５】
また、図４に示すように、通信内容制御設定テーブル１７３は、通信内容と、当該通信内容における照明装置３１の照明の設定とが対応付けられたテーブルである。図４に示す、通信内容制御設定テーブル１７３では、照明装置３１の照明の設定として、「有効」及び「無効」が規定されている。ここで、「有効」とは、照明装置３１を点灯させることを意味し、「無効」とは、照明装置３１を点灯させないことを意味する。具体的には、通信内容制御設定テーブル１７３では、所定時間より長い時間の通信を要する通信内容、例えば、「動画」、「ゲーム・アプリ」等、に対応する照明の設定として「有効」と規定している。ここで、所定時間とは、例えば、５分等である。
【００２６】
次に、図５を参照しながら、本実施の形態１にかかるホームゲートウェイ１における照明装置３１の制御について説明する。図５は、実施の形態１にかかるホームゲートウェイ１における制御を説明するフローチャートである。
まず、図５に示すように、制御部１７は、スマートフォン２１と、ホームゲートウェイ１との間の通信の有無に基づいて、スマートフォン２が操作されているか否かを判断する（ステップＳ１）。
【００２７】
ステップＳ１において、制御部１７が、スマートフォン２が操作されていないと判断した場合（ステップＳ１；Ｎｏ）、制御部１７は、図５の処理を終了する。
ステップＳ１において、制御部１７が、スマートフォン２が操作されたと判断した場合（ステップＳ１；Ｙｅｓ）、制御部１７は、時間帯制御設定テーブル１７２を参照して、照明装置３１を点灯させるか否かを判断する（ステップＳ２）。より具体的には、制御部１７は、接続端末制御部１３から入力された時間に関する情報に基づいて、記憶部１７１に格納されている時間帯制御設定テーブル１７２を参照し、当該時間が含まれる時間帯の照明の設定を抽出する。そして、制御部１７は、抽出した照明の設定が「有効」である場合に、照明装置３１を点灯させると判断し、当該照明の設定が「無効」である場合に、照明装置３１を点灯させないと判断する。
【００２８】
ステップＳ２において、制御部１７が、照明装置３１を点灯させないと判断した場合（ステップＳ２；Ｎｏ）、制御部１７は、図５の処理を終了する。
ステップＳ２において、制御部１７が、照明装置３１を点灯させると判断した場合（ステップＳ２；Ｙｅｓ）、制御部１７は、接続端末制御部１３から入力された通信内容を確認する（ステップＳ３）。
【００２９】
次に、制御部１７は、通信内容制御設定テーブル１７３を参照して、照明装置３１を点灯させるか否かを判断する（ステップＳ４）。より具体的には、制御部１７は、接続端末制御部１３から入力された通信内容に基づいて、記憶部１７１に格納されている通信内容制御設定テーブル１７３を参照し、当該通信内容に対応付けられた照明の設定を抽出する。そして、制御部１７は、抽出した照明の設定が「有効」である場合に、照明装置３１を点灯させると判断し、当該照明の設定が「無効」である場合に、照明装置３１を点灯させないと判断する。
【００３０】
ステップＳ４において、制御部１７が、照明装置３１を点灯させないと判断した場合（ステップＳ４；Ｎｏ）、制御部１７は、図５の処理を終了する。
ステップＳ４において、制御部１７が、照明装置３１を点灯させると判断した場合（ステップＳ４；Ｙｅｓ）、制御部１７は、室内照明制御部１６から入力された照明状況に基づいて、照明装置３１が点灯しているか否かを判断する（ステップＳ５）。
【００３１】
ステップＳ５において、制御部１７が、照明装置３１が点灯していると判断した場合（ステップＳ５；Ｙｅｓ）、制御部１７は、図５の処理を終了する。
ステップＳ５において、制御部１７が、照明装置３１が点灯していないと判断した場合（ステップＳ５；Ｎｏ）、制御部１７は、照明装置３１を点灯させるように制御信号を室内照明制御部１６に出力して（ステップＳ６）、図５の処理を終了する。
なお、ステップＳ５における照明装置３１が点灯しているか否かを判断する処理は、ステップＳ１又はステップＳ２の前に行われてもよい。これにより、既に照明装置３１が点灯している場合には、ステップＳ１〜ステップＳ４の処理を行わずに済む。
【００３２】
また、実施の形態１では、ホームゲートウェイ１と通信を行う接続端末２として、スマートフォン２１を例に挙げたが、接続端末２は、ホームゲートウェイ１に接続可能な端末であればよく、ゲーム機、テレビ等でもよい。また、ホームゲートウェイ１と接続端末２との間の無線通信の規格は何であってもよい。また、ホームゲートウェイ１は、接続端末２としてのパソコン等の電気機器と有線で通信可能に接続されていてもよい。
【００３３】
また、ホームゲートウェイ１と室内照明３との間の無線通信の規格は何であってもよい。また、照明装置３１が赤外線通信に対応している場合、照明装置３１とホームゲートウェイ１との間の通信は、ネットワーク赤外線センサを介して、赤外線通信を用いて行われてもよい。
【００３４】
以上に説明した実施の形態１にかかるホームゲートウェイ１では、制御部１７は、スヌーピング機能部１３１によって取得された通信内容と、照明装置３１の照明状況とに基づいて、照明装置３１による照明を制御する。より具体的には、接続端末制御部１３から入力された通信内容に基づいて、記憶部１７１に格納されている通信内容制御設定テーブル１７３を参照し、当該通信内容に対応付けられた照明の設定を抽出する。そのため、例えば、図４の通信内容制御設定テーブル１７３に示すように、通信内容が「メール」や「検索サイト」等、通信時間が比較的短い通信内容である場合には照明装置３１を点灯せず、通信内容が「動画」や「ゲーム・アプリ」等、通信時間が比較的長い通信内容である場合には照明装置３１を点灯させる、等のように、制御部１７は、人の行動により適した照明装置３１の点灯制御を行うことができる。
【００３５】
また、制御部１７は、接続端末制御部１３から入力された時間に関する情報と、記憶部１７１に格納されている時間照明情報としての時間帯制御設定テーブル１７２と、に基づいて、照明装置３１による照明を制御する。これにより、制御部１７は、通信内容だけでなく、時間帯も考慮して、照明装置３１による照明を制御することができる。
【００３６】
実施の形態２
次に、本発明の実施の形態２にかかるホームゲートウェイシステム２００について説明する。図６は、実施の形態２にかかるホームゲートウェイシステム２００を示すブロック図である。図６に示すように、実施の形態２にかかるホームゲートウェイシステム２００は、照明装置３１にセンサとしての人感センサ３２を備える点、室内照明制御部１６がセンサ監視部１６５を備える点、及び、記憶部１７１が部屋照明設定情報としての部屋・人検知制御設定テーブル１７４を格納している点が、実施の形態１にかかるホームゲートウェイシステム１００と異なる。そのため、同一の構成については同一の符号を付すとともに、その説明を省略する。
【００３７】
人感センサ３２は、例えば、照明装置３１に備えられ、建物Ｂ内の当該照明装置３１が備えられた部屋（空間）に人がいる場合に、その人を検出する。人感センサ３２は、赤外線、超音波、可視光等、又はこれらの組み合わせを用いて、人を検出する。また、人感センサ３２とホームゲートウェイ１とは、通信可能に接続されている。そして、人感センサ３２は検出結果をホームゲートウェイ１の室内照明制御部１６のセンサ監視部１６５に出力する。なお、人感センサ３２は、照明装置３１以外の場所に備えられていてもよい。また、建物Ｂ内に複数の照明装置３１及び複数の人感センサ３２がある場合、照明装置３１と人感センサ３２とは対応付けられている。
【００３８】
センサ監視部１６５は、人感センサ３２の検出結果を監視し、当該検出結果を制御部１７に出力する。また、建物Ｂ内に複数の部屋があり、それぞれの部屋の照明装置３１に人感センサ３２が備えられている場合には、センサ監視部１６５は、部屋毎に人感センサ３２の検出結果を監視し、当該部屋の種類及び当該部屋の人感センサ３２の検出結果を制御部１７に出力する。
【００３９】
記憶部１７１は、部屋照明設定情報としての部屋・人検知制御設定テーブル１７４を格納している。図７に、部屋・人検知制御設定テーブル１７４を示す。図７に示すように、部屋・人検知制御設定テーブル１７４は、部屋の種類と、人感センサ３２の有無と、照明装置３１による照明の設定と、が対応付けられたテーブルである。図７に示す、部屋・人検知制御設定テーブル１７４では、照明装置３１の照明の設定として、「有効」、「無効」、及び、「除外」が規定されている。ここで、「有効」とは、照明装置３１を制御部１７によって制御することを意味し、「無効」とは、照明装置３１を制御部１７によって制御しないことを意味する。また、「除外」とは、当該部屋の照明装置３１を制御部１７によって制御しないことを意味する。
【００４０】
そして、ＣＰＵが記憶部１７１に格納されているプログラムを実行することによって、制御部１７は、人感センサ３２による検出結果をさらに用いて、照明装置３１による照明を制御する。具体的には、制御部１７は、人感センサ３２の検出結果が人を検出したことを示す場合、照明装置３１を点灯させる制御を行い、人感センサ３２の検出結果が人を検出しなかったことを示す場合、スヌーピング機能部１３１によって取得された通信内容に基づいて、照明装置３１による照明を制御する。より具体的には、制御部１７は、センサ監視部１６５から入力された部屋の種類及び当該部屋の人感センサ３２の検出結果と、記憶部１７１に格納されている部屋・人検知制御設定テーブル１７４とに基づいて、照明装置３１による照明を制御する。
【００４１】
次に、図８を参照しながら、実施の形態２にかかるホームゲートウェイ１における照明装置３１の制御について説明する。図８は、実施の形態２にかかるホームゲートウェイ１における制御を説明するフローチャートである。図８に示すホームゲートウェイ１における照明装置３１の制御は、ステップＳ１０１、ステップＳ１０２の処理のみが、図５に示すホームゲートウェイ１における照明装置３１の制御と異なる。換言すれば、図８のステップＳ１０３〜ステップＳ１０８の処理は、図５のステップＳ１〜ステップＳ６の処理と同一である。そのため、同一の処理については、その説明を省略する。
【００４２】
図８に示すように、まず、制御部１７は、センサ監視部１６５から入力された検出結果に基づいて、人感センサ３２が人を検出したか否かを判断する（ステップＳ１０１）。
ステップＳ１０１において、制御部１７が、人感センサ３２が人を検出していないと判断した場合（ステップＳ１０１；Ｎｏ）、制御部１７は、図８の処理を終了する。
ステップＳ１０１において、制御部１７が、人感センサ３２が人を検出したと判断した場合（ステップＳ１０１；Ｙｅｓ）、制御部１７は、センサ監視部１６５から入力された部屋の種類に基づいて、部屋・人検知制御設定テーブル１７４を参照して、当該部屋の種類に対応付けられた照明の設定を抽出する。そして、制御部１７は、抽出した照明の設定が「有効」であるか否かを判断する（ステップＳ１０２）。
【００４３】
ステップＳ１０２において、制御部１７が、当該照明の設定が「無効」又は「除外」であると判断した場合（ステップＳ１０２；Ｎｏ）、制御部１７は、図８の処理を終了する。
ステップＳ１０２において、制御部１７が、当該照明の設定が「有効」であると判断した場合（ステップＳ１０２；Ｎｏ）、制御部１７は、ステップＳ１０３の処理に進む。
【００４４】
以上に説明した実施の形態２にかかるホームゲートウェイ１によれば、建物Ｂ内に複数の照明装置３１がある場合であっても、当該照明装置３１に設けられた人感センサ３２による検出結果に基づいて、照明装置３１による照明を制御するため、制御部１７は、どの照明装置３１の照明を制御するかを判断することができる。
【００４５】
また、記憶部１７１は、部屋・人検知制御設定テーブル１７４を格納し、制御部１７は、センサ監視部１６５から入力された部屋の種類及び当該部屋の人感センサ３２の検出結果と、記憶部１７１に格納されている部屋・人検知制御設定テーブル１７４とに基づいて、照明装置３１による照明を制御する。そのため、制御部１７は、部屋毎に、照明装置３１の照明を制御することができる。例えば、図７の部屋・人検知制御設定テーブル１７４において、リビングの照明の設定は「除外」となっており、映画をリビングで見る際等、あえて照明を暗くしたい場合にも、ホームゲートウェイ１による照明装置３１の制御は対応することができる。
【００４６】
実施の形態３
次に、実施の形態３にかかるホームゲートウェイ１について説明する。実施の形態３にかかるホームゲートウェイ１は、記憶部１７１が時間帯制御設定テーブル１７２の代わりに照度制御設定テーブル１７５を格納している点が、実施の形態１又は実施の形態２にかかるホームゲートウェイ１と異なる。そのため、同一の構成については、同一の符号を付すとともに、その説明を省略する。
【００４７】
記憶部１７１は、照明設定情報としての照度制御設定テーブル１７５を格納している。図９に、照度制御設定テーブル１７５を示す。図９に示すように、照度制御設定テーブル１７５は、時間帯と、当該時間帯における照明装置３１による照明の設定と、当該照明装置３１による照明の明るさ（照度）とが対応付けられたテーブルである。図９に示す、照度制御設定テーブル１７５では、照明装置３１の照明の設定として、「有効」及び「無効」が規定されている。ここで、「有効」とは、照明装置３１を点灯させることを意味し、「無効」とは、照明装置３１を点灯させないことを意味する。また、照度制御設定テーブル１７５では、照明装置３１による照明の明るさとして、「明るく」及び「半分明るく」が規定されている。ここで「明るく」とは、所定の照度以上の明るさで照明装置３１を点灯させることを意味する。また、「半分明るく」とは、当該所定の照度の半分の照度（明るさ）で照明装置３１を点灯させることを意味する。
【００４８】
次に、図１０を参照しながら、実施の形態３にかかるホームゲートウェイ１における照明装置３１の制御について説明する。図１０は、実施の形態３にかかるホームゲートウェイ１における制御を説明するフローチャートである。図１０に示すホームゲートウェイ１における照明装置３１の制御は、ステップＳ２０６の処理のみが、図５又は図８に示すホームゲートウェイ１における照明装置３１の制御と異なる。換言すれば、図１０のステップＳ２０１〜ステップＳ２０５の処理は、図５のステップＳ１〜ステップＳ５の処理又は図８のステップＳ１０３〜ステップＳ１０７の処理と同一である。そのため、同一の処理については、その説明を省略する。
【００４９】
ステップＳ２０５において、制御部１７が、照明装置３１が点灯していないと判断した場合（ステップＳ２０５；Ｎｏ）、制御部１７は、照度制御設定テーブル１７５に基づいて、照明装置３１を点灯させるように制御信号を室内照明制御部１６に出力して（ステップＳ２０６）、図１０の処理を終了する。具体的には、制御部１７は、接続端末制御部１３から入力された時間に関する情報に基づいて、記憶部１７１に格納されている照度制御設定テーブル１７５を参照し、当該時間が含まれる時間帯の照明の明るさを抽出する。そして、制御部１７は、抽出した照明の明るさで照明装置３１を点灯させるように制御信号を室内照明制御部１６に出力して、図１０の処理を終了する。
【００５０】
以上に説明した実施の形態３にかかるホームゲートウェイ１によれば、制御部１７は、接続端末制御部１３から入力された時間に関する情報と、記憶部１７１に格納されている照度制御設定テーブル１７５とに基づいて、照度を調節して照明装置３１を点灯させるように制御する。そのため、例えば、図９に示すように、制御部１７は、深夜など、急に明るくなると目が眩んでしまう時間帯「２４：００〜４：００」については、「半分明るく」なるように、照明装置３１を点灯させることができる。
【００５１】
なお、照明装置３１の明るさ（照度）の調節は、例えば、照明装置３１が複数の発光部材からなる場合、当該複数の発光部材を間引いて点灯させることによって行われてもよい。ここで、発光部材とは、例えば、電球、蛍光灯、ＬＥＤ等である。
【００５２】
また、照度制御設定テーブル１７５は、曜日、月日等のカレンダー情報毎、又は、天気情報若しくは気候情報若しくは季節情報毎に、照明装置３１の照明の明るさを規定していてもよい。これにより、同じ時間帯（例えば、１６：００〜１７：００）であっても季節によって周囲環境の明るさが異なる場合にも、制御部１７は、照明装置３１を適切な明るさで点灯させることができる。
【００５３】
実施の形態４
次に、実施の形態４にかかるホームゲートウェイ１について説明する。実施の形態４にかかるホームゲートウェイ１は、記憶部１７１が、時間帯制御設定テーブル１７２を格納し、照度制御設定テーブル１７５の代わりに照度制御設定テーブル１７５Ａを格納している点、及び、図１０のステップＳ２０６における制御部１７の処理が、実施の形態３にかかるホームゲートウェイ１と異なる。そのため、同一の構成については、同一の符号を付すとともに、その説明を省略する。
【００５４】
記憶部１７１は、照明設定情報としての照度制御設定テーブル１７５Ａを格納している。図１１に、照度制御設定テーブル１７５Ａを示す。図１１に示すように、照度制御設定テーブル１７５Ａは、通信内容と、当該通信内容に対応する照明装置３１による照明の設定と、当該照明装置３１による照明の明るさ（照度）とが対応付けられたテーブルである。図１１に示す、照度制御設定テーブル１７５Ａでは、通信内容として、「〜５分」、「５〜１５分」、「１５分〜」が規定されている。ここで、「〜５分」とは、通信に必要と予想される時間が５分未満の通信内容を意味し、「５〜１５分」とは、通信に必要と予想される時間が５分以上１５分未満の通信内容を意味し、「１５分〜」とは、通信に必要と予想される時間が１５分以上の通信内容を意味する。また、照度制御設定テーブル１７５Ａでは、照明装置３１の照明の設定として、「有効」及び「無効」が規定されている。ここで、「有効」とは、照明装置３１を点灯させることを意味し、「無効」とは、照明装置３１を点灯させないことを意味する。また、照度制御設定テーブル１７５Ａでは、照明装置３１による照明の明るさとして、「明るく」及び「半分明るく」が規定されている。ここで「明るく」とは、所定の照度以上の明るさで照明装置３１を点灯させることを意味する。また、「半分明るく」とは、当該所定の照度の半分の照度（明るさ）で照明装置３１を点灯させることを意味する。
【００５５】
次に、実施の形態４にかかるホームゲートウェイ１における照明装置３１の制御について説明する。実施の形態４にかかるホームゲートウェイ１における照明装置３１の制御は、ステップＳ２０６の処理のみが、実施の形態３にかかるホームゲートウェイ１における照明装置３１の制御と異なる。そのため、同一の処理については、その説明を省略する。
【００５６】
ステップＳ２０５において、制御部１７が、照明装置３１が点灯していないと判断した場合（ステップＳ２０５；Ｎｏ）、制御部１７は、照度制御設定テーブル１７５Ａに基づいて、照明装置３１を点灯させるように制御信号を室内照明制御部１６に出力して（ステップＳ２０６）、図１０の処理を終了する。具体的には、制御部１７は、接続端末制御部１３から入力された通信内容に基づいて、記憶部１７１に格納されている照度制御設定テーブル１７５Ａを参照し、当該通信内容に対応する照明の明るさを抽出する。そして、制御部１７は、抽出した照明の明るさで照明装置３１を点灯させるように制御信号を室内照明制御部１６に出力して、図１０の処理を終了する。
【００５７】
以上に説明した実施の形態４にかかるホームゲートウェイ１によれば、制御部１７は、接続端末制御部１３から入力された通信内容と、記憶部１７１に格納されている照度制御設定テーブル１７５Ａとに基づいて、照度を調節して照明装置３１を点灯させるように制御する。そのため、例えば、図１１に示すように、制御部１７は、接続端末制御部１３から入力された通信内容が、通信に必要と予想される時間が５分未満の通信内容である場合には照明装置３１を点灯させず、接続端末制御部１３から入力された通信内容が、通信に必要と予想される時間が５分以上１５分未満の通信内容である場合には照明装置３１を「半分明るく」なるように照明装置３１を点灯させる等、通信にかかる時間に合わせて、照明装置３１を点灯させることができる。これにより、例えば、就寝前に５分未満の通信時間でスマートフォン２１を操作する場合に、照明装置３１を点灯させるのを防ぐことができ、目に負担をかけることが無いように照明装置３１を制御することができる。
【００５８】
実施の形態５
次に、実施の形態５にかかるホームゲートウェイ１について説明する。実施の形態５にかかるホームゲートウェイ１は、記憶部１７１が、時間帯制御設定テーブル１７２を格納し、照度制御設定テーブル１７５の代わりに照度制御設定テーブル１７５Ｂを格納している点、及び、図１０のステップＳ２０６における制御部１７の処理が、実施の形態３にかかるホームゲートウェイ１と異なる。そのため、同一の構成については、同一の符号を付すとともに、その説明を省略する。
【００５９】
記憶部１７１は、照明設定情報としての照度制御設定テーブル１７５Ｂを格納している。図１２に、照度制御設定テーブル１７５Ｂを示す。図１２に示すように、照度制御設定テーブル１７５Ｂは、接続端末２のＭＡＣアドレスと、接続端末２の種類と、当該接続端末２を使用する使用者と、当該接続端末の種類に対応する照明装置３１による照明の明るさ（照度）と、当該使用者に対応する当該照明装置３１の照度の変動値とが対応付けられたテーブルである。図１２に示す、照度制御設定テーブル１７５Ｂでは、照明装置３１による照明の明るさ（照度）として、「閾値未満」、「閾値以上」が規定されている。ここで、「閾値未満」とは、所定の閾値未満の照度（明るさ）で照明装置３１を点灯させることを意味する。また、「閾値以上」とは、所定の閾値以上の照度（明るさ）で照明装置３１を点灯させることを意味する。また、照度制御設定テーブル１７５Ｂでは、照明装置３１の照度の変動値として、「所定値以下」、「なし」を規定している。ここで、「所定値以下」とは、制御部１７が照明装置３１を制御する場合、照明装置３１の照度の変化量を所定値以下に抑えるように制御することを意味する。また、「なし」とは、制御部１７が照明装置３１を任意の照度の変化量で制御することを意味する。なお、図１２において、ＭＡＣアドレスと接続端末２の種類とは紐づけられている。また、図１２における使用者とは、対応する接続端末２を多用する使用者であり、当該接続端末２に対応するＭＡＣアドレスによって特定される。
【００６０】
次に、実施の形態５にかかるホームゲートウェイ１における照明装置３１の制御について説明する。実施の形態５にかかるホームゲートウェイ１における照明装置３１の制御は、ステップＳ２０６の処理のみが、実施の形態３にかかるホームゲートウェイ１における照明装置３１の制御と異なる。そのため、同一の処理については、その説明を省略する。
【００６１】
ステップＳ２０５において、制御部１７が、照明装置３１が点灯していないと判断した場合（ステップＳ２０５；Ｎｏ）、制御部１７は、照度制御設定テーブル１７５Ｂに基づいて、照明装置３１を点灯させるように制御信号を室内照明制御部１６に出力して（ステップＳ２０６）、図１０の処理を終了する。具体的には、制御部１７は、接続端末制御部１３から入力されたＭＡＣアドレスに基づいて、記憶部１７１に格納されている照度制御設定テーブル１７５Ｂを参照し、当該ＭＡＣアドレスに対応する照明の設定を抽出する。また、制御部１７は、照度制御設定テーブル１７５Ｂを参照し、当該ＭＡＣアドレスによって特定される使用者に対応する照明装置３１の照度の変動値を抽出する。そして、制御部１７は、抽出した照明の設定及び照度の変動値で照明装置３１を点灯させるように制御信号を室内照明制御部１６に出力して、図１０の処理を終了する。より具体的には、例えば、ＭＡＣアドレスに対応する照明の設定が「閾値未満」であり、当該ＭＡＣアドレスによって特定される使用者に対応する照度の変動値が「所定値以下」であった場合、制御部１７は、照明装置３１の照度の変動値が「所定値以下」となるように、且つ、照明装置３１の照度（明るさ）が「閾値未満」となるように、照明装置３１を点灯させるように制御信号を室内照明制御部１６に出力する。
【００６２】
以上に説明した実施の形態５にかかるホームゲートウェイ１によれば、制御部１７は、接続端末制御部１３から入力されたＭＡＣアドレスと、記憶部１７１に格納されている照度制御設定テーブル１７５Ｂとに基づいて、照度を調節して照明装置３１を点灯させるように制御する。また、ＭＡＣアドレスと接続端末２の種類とは紐づけられており、ＭＡＣアドレスによって当該接続端末２を多用する使用者が特定される。そのため、例えば、図１２に示すように、接続端末２の種類及びその接続端末２を多用する使用者に応じて、照明装置３１を点灯させることができる。具体的には、図１２に示すように、接続端末２が「スマートフォン」で使用者が「母」の場合には、制御部１７は、照明装置３１の照度の変動値が「所定値以下」となるように、且つ、照明装置３１の照度（明るさ）が「閾値未満」となるように、照明装置３１を点灯させるように制御する。また、接続端末２が「タブレット」又は「ゲーム機」で使用者が「父」又は「子供」の場合には、制御部１７は、照明装置３１の照度（明るさ）が「閾値以上」となるように、照明装置３１を点灯させるように制御する。すなわち、接続端末２の画面の大きさによって照明装置３１の照度（明るさ）を制御することができるとともに、使用者の目が照度の変動に不慣れであるか否かも考慮して照明装置３１の照度（明るさ）を制御することができる。
【００６３】
実施の形態６
次に、実施の形態６にかかるホームゲートウェイ１について説明する。実施の形態６にかかるホームゲートウェイ１は、記憶部１７１が、時間帯制御設定テーブル１７２を格納し、照度制御設定テーブル１７５の代わりに照度制御設定テーブル１７５Ｃを格納している点、及び、図１０のステップＳ２０６における制御部１７の処理が、実施の形態３にかかるホームゲートウェイ１と異なる。そのため、同一の構成については、同一の符号を付すとともに、その説明を省略する。
【００６４】
記憶部１７１は、照明設定情報としての照度制御設定テーブル１７５Ｃを格納している。図１３に、照度制御設定テーブル１７５Ｃを示す。図１３に示すように、照度制御設定テーブル１７５Ｃは、照明装置３１が備えられた空間（建物Ｂ又は建物Ｂ内の部屋）の照明状況と、照明装置３１による照明の設定と、当該照明装置３１による照明の明るさ（照度）とが対応付けられたテーブルである。図１３に示す、照度制御設定テーブル１７５Ｃでは、照明装置３１が備えられた空間の照明状況として、「明るい」、「暗い」が規定されている。ここで、「明るい」とは、照明監視部１６３によって取得された照明装置３１が備えられた空間の照明状況としての照度（明るさ）が所定値以上であることを意味する。また、「暗い」とは、照明監視部１６３によって取得された照明装置３１が備えられた空間の照明状況としての照度（明るさ）が所定値未満であることを意味する。また、照度制御設定テーブル１７５Ｃでは、照明装置３１による照明の設定として、「有効」、「無効」が規定されている。ここで、「有効」とは、照明装置３１を点灯させることを意味し、「無効」とは、照明装置３１を点灯させないことを意味する。また、照度制御設定テーブル１７５では、照明装置３１による照明の明るさ（照度）として、「明るく」が規定されている。ここで「明るく」とは、所定の照度以上の明るさで照明装置３１を点灯させることを意味する。
【００６５】
次に、実施の形態６にかかるホームゲートウェイ１における照明装置３１の制御について説明する。実施の形態６にかかるホームゲートウェイ１における照明装置３１の制御は、ステップＳ２０６の処理のみが、実施の形態３にかかるホームゲートウェイ１における照明装置３１の制御と異なる。そのため、同一の処理については、その説明を省略する。
【００６６】
ステップＳ２０５において、制御部１７が、照明装置３１が点灯していないと判断した場合（ステップＳ２０５；Ｎｏ）、制御部１７は、照度制御設定テーブル１７５Ｃに基づいて、照明装置３１を点灯させるように制御信号を室内照明制御部１６に出力して（ステップＳ２０６）、図１０の処理を終了する。具体的には、制御部１７は、照明監視部１６３から入力された照明装置３１の照明状況に基づいて、記憶部１７１に格納されている照度制御設定テーブル１７５Ｃを参照し、当該照明状況に対応する照明の設定及び照明の明るさ（照度）を抽出する。そして、制御部１７は、抽出した照明の設定が「有効」である場合、抽出した照明の明るさ（照度）で照明装置３１を点灯させるように制御信号を室内照明制御部１６に出力して、図１０の処理を終了する。
【００６７】
以上に説明した実施の形態６にかかるホームゲートウェイ１によれば、制御部１７は、照明監視部１６３から入力された照明装置３１の照明状況と、記憶部１７１に格納されている照度制御設定テーブル１７５Ｃとに基づいて、照明装置３１を点灯させるように制御する。そのため、例えば、図１３に示すように、すでに、照明装置３１が備えられた空間の照明状況が「明るい」場合には、制御部１７は照明装置３１を点灯させず、照明装置３１が備えられた空間の照明状況が「暗い」場合にのみ、制御部１７は照明装置３１を点灯させることができる。これにより、日中など窓からの入射光で照明装置３１が備えられる空間が十分に明るい場合には、無駄に、照明装置３１を点灯させずに済む。
【００６８】
実施の形態７
次に、実施の形態７にかかるホームゲートウェイ１について説明する。実施の形態７にかかるホームゲートウェイ１は、中継器としての複数のアクセスポイント５を介して、接続端末２と通信可能に接続される点が実施の形態２乃至６にかかるホームゲートウェイ１と異なる。そのため、同一の構成については、同一の符号を付すとともに、その説明を省略する。
【００６９】
図１４は、本発明の実施の形態７にかかるホームゲートウェイシステム３００を示す模式図である。ホームゲートウェイ１は、例えば、図１４に示すように、第１のアクセスポイント５Ａを介して、接続端末２としての第１のスマートフォン２１Ａ又は第２のスマートフォン２１Ｂと通信可能に接続される。また、ホームゲートウェイ１は、第２のアクセスポイント５Ｂを介して、第１のスマートフォン２１Ａ又は第２のスマートフォン２１Ｂと通信可能に接続される。なお、ホームゲートウェイシステム３００に備えられるアクセスポイント５の数、接続端末２の種類及び数は、図１４に限定されるものではない。
【００７０】
アクセスポイント５は、図１４に示すように、建物Ｂ内に設けられている。そして、ホームゲートウェイ１は、無線ＬＡＮを用いて、アクセスポイント５を介して、スマートフォン２と通信を行う。また、建物Ｂ内に複数の部屋がある場合、アクセスポイント５は、部屋毎に配置されていてもよい。
【００７１】
また、アクセスポイント５は、照明装置３１と対応付けられている。例えば、図１４に示すように、第１のアクセスポイント５Ａは、第１の照明装置３１Ａと対応付けられており、第２のアクセスポイント５Ｂは、第２の照明装置３１Ｂと対応付けられている。なお、一のアクセスポイント５は、複数の照明装置３１と対応付けられていてもよいし、一の照明装置３１は、複数のアクセスポイント５と対応付けられていてもよい。
【００７２】
また、実施の形態２で説明したように、照明装置３１と人感センサ３２とは対応付けられている。また、人感センサ３２は、照明装置３１に備えられていてもよい。例えば、図１４に示すように、第１の照明装置３１Ａには第１の人感センサ３２Ａが備えられ、第２の照明装置３１Ｂには第２の人感センサ３２Ｂが備えられている。そして、人感センサ３２は、対応する照明装置３１が備えられた部屋（空間）に人がいる場合に、その人を検出する。また、１つの部屋に複数の照明装置３１が備えられている場合、人感センサ３２は、対応する照明装置３１の照明範囲（空間）に人がいる場合に、その人を検出する。
【００７３】
そして、ＣＰＵが記憶部１７１に格納されているプログラムを実行することによって、制御部１７は、人感センサ３２の検出結果に基づいて、アクセスポイント５と対応関係にある照明装置３１による照明を制御する。具体的には、制御部１７がアクセスポイント５にスマートフォン２１が接続したという接続結果を当該アクセスポイント５から取得した際に、検出結果が当該アクセスポイント５と対応関係にある照明装置３１が備えられた部屋（空間）に人を検出しなかったということを示している場合、制御部１７は当該アクセスポイント５と対応関係にある照明装置３１の点灯制御を行わない。ここで、点灯制御とは、図５、図８、又は、図１０で示した、制御部１７による照明装置３１の制御を意味する。
【００７４】
より具体的には、例えば、制御部１７が第１のアクセスポイント５Ａに第１のスマートフォン２１Ａが接続したという接続結果を第１のアクセスポイント５Ａから取得した際、制御部１７は、第１の人感センサ３２Ａ及び第２の人感センサ３２Ｂの検出結果を取得する。そして、第１の人感センサ３２Ａの検出結果が第１のアクセスポイント５Ａと対応関係にある第１の照明装置３１Ａの照明範囲（空間）に人を検出しなかったということを示している場合、制御部１７は第１の照明装置３１Ａの点灯制御を行わない。一方、第２の人感センサ３２Ｂの検出結果が第２のアクセスポイント５Ｂと対応関係にある第２の照明装置３１Ｂの照明範囲（空間）に人を検出したということを示している場合、制御部１７は第２の照明装置３１Ｂの点灯制御を行う。
【００７５】
これにより、例えば、第１のスマートフォン２１Ａを操作する人が第１のアクセスポイント５Ａ付近で通信を開始して、第２の照明装置３１Ｂの照明範囲に移動したが、第１のアクセスポイント５Ａと第２のアクセスポイント５Ｂとが近接している等の理由により、第１のスマートフォン２１Ａと第１のアクセスポイント５Ａとの通信が維持されている場合でも、制御部１７は、第１のスマートフォン２１Ａを操作する人がどの照明装置３１の照明範囲内にいるかに基づいて、適切な照明装置３１の点灯制御を行うことができる。
【００７６】
以上に説明した実施の形態７にかかるホームゲートウェイ１によれば、建物Ｂ内に複数のアクセスポイント５が備えられた場合でも、人感センサ３２の検出結果に基づいて、アクセスポイント５と対応関係にある照明装置３１による照明を制御する。そのため、例えば、制御部１７が一のアクセスポイント５にスマートフォン２１が接続したという接続結果を当該一のアクセスポイント５から取得した際に、人感センサ３２の検出結果が当該一のアクセスポイント５と対応関係にある照明装置３１の照明範囲（空間）に人を検出しなかったということを示している場合、制御部１７は当該一のアクセスポイント５と対応関係にある照明装置３１の点灯制御を行わない。一方、人感センサ３２の検出結果が他のアクセスポイント５と対応関係にある照明装置３１の照明範囲（空間）に人を検出したことを示している場合、制御部１７は当該他のアクセスポイントと対応関係にある照明装置３１の点灯制御を行う。よって、人の行動により一層適した照明装置の点灯制御が行える。
【００７７】
なお、実施の形態７において、人感センサ３２が配置されていなくてもよい。その場合、制御部１７は、アクセスポイント５に接続端末２が接続したという接続結果に基づいて、当該アクセスポイント５と対応関係にある照明装置３１の点灯制御を行う。この場合、制御部１７は、アクセスポイント５への接続端末２の接続結果に基づいて、接続端末２がどの照明装置３１が備えられた部屋（空間）にいるのか判断できる。
【００７８】
また、実施の形態７において、制御部１７は、アクセスポイント５への接続端末２の接続結果及び人感センサ３２の検出結果、又は、アクセスポイント５への接続端末２の接続結果のみに基づいて、接続端末２がどの照明装置３１が備えられた部屋（空間）にいるのか判断できる。そして、制御部１７は、図７を参照して、各部屋の種類に適した照明装置３１の点灯制御を行うことができる。
【００７９】
なお、本発明は上記実施の形態に限られたものではなく、趣旨を逸脱しない範囲で適宜変更することが可能である。例えば、スマートフォン２１等の接続端末２側に、ロック画面状態からホーム画面に移行した場合等、スリープ状態を解除した場合や、アラーム機能が作動した場合等に、ホームゲートウェイ１に通知を行うことによって、ホームゲートウェイ１が照明装置３１を点灯させることも可能である。
「付記１」
照明装置を有する建物内に設けられる無線ＬＡＮ通信装置であって、
接続端末と通信を行う通信部と、
前記接続端末の通信内容を取得する取得部と、
前記取得部によって取得された前記通信内容と、前記照明装置の照明状況とに基づいて、前記照明装置による照明を制御する制御部と、
を備える無線ＬＡＮ通信装置。
「付記２」
前記無線ＬＡＮ通信装置は、時間と前記時間における前記照明装置による照明の設定とを対応付けた時間照明情報を格納する記憶部をさらに備え、
前記制御部は、前記時間照明情報に基づいて、前記照明装置による照明を制御する、付記１に記載の無線ＬＡＮ通信装置。
「付記３」
前記制御部は、前記取得部によって取得された前記通信内容が、所定の時間より長い時間の通信を要する通信内容である場合、前記照明装置を点灯させる制御を行う、付記１又は２に記載の無線ＬＡＮ通信装置。
「付記４」
前記無線ＬＡＮ通信装置は、前記建物に設けられたセンサと通信可能に接続されており、
前記制御部は、前記センサによる検出結果をさらに用いて、前記照明装置による照明を制御する、付記１に記載の無線ＬＡＮ通信装置。
「付記５」
前記センサは、人を検出可能なセンサであり、
前記制御部は、前記センサの前記検出結果が人を検出したことを示す場合、前記照明装置を点灯させる制御を行い、前記センサの前記検出結果が人を検出しなかったことを示す場合、前記取得部によって取得された前記通信内容に基づいて、前記照明装置による照明を制御する、付記４に記載の無線ＬＡＮ通信装置。
「付記６」
前記無線ＬＡＮ通信装置は、前記建物内に設けられ、且つ、前記接続端末と通信可能な中継器と通信可能に接続されており、
前記制御部は、前記センサの前記検出結果に基づいて、前記中継器と対応関係にある前記照明装置による照明を制御する、付記４乃至５の何れか一項に記載の無線ＬＡＮ通信装置。
「付記７」
前記無線ＬＡＮ通信装置は、時間と前記時間における前記照明装置による照明の照度とを対応付けた照明設定情報を格納する記憶部をさらに備え、
前記制御部は、前記照明設定情報に基づいて、前記照明装置による照明を制御する、付記１乃至６の何れか一項に記載の無線ＬＡＮ通信装置。
「付記８」
前記無線ＬＡＮ通信装置は、前記接続端末の通信内容と前記通信内容における前記照明装置による照明の照度とを対応付けた照明設定情報を格納する記憶部をさらに備え、
前記制御部は、前記取得部によって取得された前記通信内容と、前記照明設定情報と、に基づいて、前記照明装置による照明を制御する、付記１乃至６の何れか一項に記載の無線ＬＡＮ通信装置。
「付記９」
前記無線ＬＡＮ通信装置は、前記接続端末の種類と前記接続端末の種類における前記照明装置による照明の照度とを対応付けた照明設定情報を格納する記憶部をさらに備え、
前記制御部は、前記接続端末の種類と、前記照明設定情報と、に基づいて、前記照明装置による照明を制御する、付記１乃至６の何れか一項に記載の無線ＬＡＮ通信装置。
「付記１０」
前記建物は複数の部屋を備え、
前記無線ＬＡＮ通信装置は、前記部屋の種類と、前記部屋の種類における前記照明装置の照明を制御するか否かについての情報と、を対応付けた部屋照明設定情報を格納する記憶部をさらに備え、
前記制御部は、前記部屋に設けられた前記センサの前記検出結果が人を検出したことを示す場合、当該部屋の種類と、前記部屋照明設定情報と、に基づいて、前記照明装置による照明を制御する、付記５に記載の無線ＬＡＮ通信装置。
「付記１１」
前記記憶部は、前記照明装置が備えられた空間の照明状況と前記照明装置による照明の照度とを対応付けた照明設定情報をさらに格納し、
前記制御部は、前記照明設定情報に基づいて、前記照明装置による照明を制御する、付記２乃至６の何れか一項に記載の無線ＬＡＮ通信装置。
【符号の説明】
【００８０】
１  ホームゲートウェイ（無線ＬＡＮ通信装置）
１１  ＷＬＡＮ接続ポート（通信部）
１３１  スヌーピング機能部（取得部）
１７  制御部
１７１  記憶部
１７２  時間帯制御設定テーブル（時間照明情報）
１７３  通信内容制御設定テーブル
１７４  部屋・人検知制御設定テーブル（部屋照明設定情報）
１７５、１７５Ａ、１７５Ｂ、１７５Ｃ  照度制御設定テーブル（照明設定情報）
２  接続端末
３  室内照明
３１  照明装置
３２  人感センサ（センサ）
４  外部ネットワーク通信網ｗｗｗ．
５  アクセスポイント（中継器）
１００、２００、３００  ホームゲートウェイシステム
Ｂ  建物
【図１】
0006624640.tif 000002
【図２】
0006624640.tif 000003
【図３】
0006624640.tif 000004
【図４】
0006624640.tif 000005
【図５】
0006624640.tif 000006
【図６】
0006624640.tif 000007
【図７】
0006624640.tif 000008
【図８】
0006624640.tif 000009
【図９】
0006624640.tif 000010
【図１０】
0006624640.tif 000011
【図１１】
0006624640.tif 000012
【図１２】
0006624640.tif 000013
【図１３】
0006624640.tif 000014
【図１４】
0006624640.tif 000015